(57)【要約】【課題】中継基板を設けても、その奥行き寸法が嵩張ることがない遊技機の提供。【解決手段】突出寸法が大きいコンデンサＣＣ等の高寸法電子部品をまとめて配置した高寸法部品配置領域ＨＲと、突出寸法が小さい集積回路チップＣＨ等の低寸法電子部品をまとめて配置した低寸法部品配置領域ＬＲとをサブ制御基板９３に設け、このうち、低寸法部品配置領域ＬＲと重なるように中継基板１３を配置し、中継基板１３を設けても、特別図柄表示装置２８の奥行き寸法が嵩張らないようにする。これにより、サブ制御基板９３に中継基板１３を重ねて配置することにより、サブ制御基板９３を設置するための部位に中継基板１３もサブ制御基板９３とともに設置できるようになるので、中継基板１３を設置するために専用の部位を別途確保する必要がなくなる。【選択図】    図６
2006034778.tif 000002
【特許請求の範囲】
【請求項１】
遊技媒体の投入により遊技が行えるとともに、入賞すると所定数量の遊技媒体が遊技者に払い出される遊技機であって、
動作するのに必要な演算処理を行う処理回路が形成された回路基板と、この回路基板と一端が電気的に接続された電線と、この電線の他端が電気的に接続された接続コネクタが取り付けられた中継基板とを備え、
前記回路基板には、当該回路基板から突出する突出寸法が異なる複数種類の電子部品を備えているとともに、突出寸法が大きい電子部品である高寸法電子部品がまとめて配置された高寸法部品配置領域と、突出寸法が小さい電子部品である低寸法電子部品がまとめて配置された低寸法部品配置領域とが設けられ、
前記中継基板は、前記回路基板の前記低寸法部品配置領域と重なる位置に配置されていることを特徴とする遊技機。
【請求項２】
前記高寸法部品配置領域は、前記回路基板の周縁部分に形成され、
前記低寸法部品配置領域は、前記回路基板の内側部分に形成されていることを特徴とする請求項１記載の遊技機。
【請求項３】
前記回路基板を内部に収納するケースが設けられ、このケースには、前記回路基板の上方を覆う天井部が設けられ、この天井部には、前記低寸法部品配置領域に対応する部分を、前記高寸法部品配置領域に対応する部分よりも内側に向かって凹ますことにより形成された凹部が設けられ、この凹部の内部に前記中継基板が収納されていることを特徴とする請求項２記載の遊技機。
【発明の詳細な説明】
【技術分野】
【０００１】
本発明は、遊技媒体の投入により遊技が行えるとともに、入賞すると所定数量の遊技媒体が遊技者に払い出される遊技機に関するものである。
【背景技術】
【０００２】
従来から、スロットマシンやパチンコ遊技機等の遊技機は、人々に娯楽を提供するための手段として利用されている。このような遊技機としては、様々な画像の表示が可能な表示装置を備えたものが知られている。
例えば、パチンコ球を発射することで遊技を実行するパチンコ機は、ゲージ盤の中央に設けられた液晶ディスプレイ装置等の表示装置を備えたものが一般的となっている。このような表示装置を遊技機に設けることにより、遊技の進行状態等を遊技者に視覚的に報知することができる。
【０００３】
ところで、遊技機に設けられている電子回路は、一般的に、外部の管理装置等へ様々な信号、例えば、払い出した遊技媒体の数量を示すデータ信号や、当該電子回路の異常信号等を出力している。また、電子回路からは、遊技機の内部における他の部品や装置に各種の信号が送り出されている。
このような信号を伝達するためのケーブルの接続には、コネクタが利用されている。すなわち、電子回路の電気的なターミナル部分に雄コネクタ及び雌コネクタのうちの一方を設け、雄コネクタ及び雌コネクタのうちの他方をケーブルの端部に設けられる。これにより、ケーブルと電子回路との着脱が任意に行えるようになる。
【０００４】
また、電子回路のターミナル部分と電気的に接続されるコネクタが集中して設置される中継基板を設ければ、遊技機の組立作業の便宜を図ることができる。すなわち、遊技機の裏面側に設けられるケース、例えば、電子回路が形成された回路基板を内部に収納したケース、あるいは、遊技球の通路が内部に形成されたケース等の背面に、前述の中継基板を取り付ければ、前述の回路基板を遊技機に組み込んだ後でも、当該回路基板に形成された電子回路等の配線作業が容易に行えるようになり、遊技機の組立作業の便宜が図れるようになる（例えば、特許文献１参照）。
【特許文献１】特許第２７４２６７６号公報（図３）
【発明の開示】
【発明が解決しようとする課題】
【０００５】
しかしながら、ケースの背面に中継基板を取り付けると、中継基板がケースの背面から突出するので、中継基板の突出寸法だけ遊技機の奥行き寸法が増し、その奥行き寸法が嵩張る、という問題が発生する。
そこで、各請求項にそれぞれ記載された各発明は、上記した従来の技術の有する問題点に鑑みてなされたものであり、その目的とするところは、中継基板を設けても、その奥行き寸法が嵩張ることがない遊技機を提供することである。
【課題を解決するための手段】
【０００６】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１記載の発明は、遊技媒体の投入により遊技が行えるとともに、入賞すると所定数量の遊技媒体が遊技者に払い出される遊技機(ＰＭ)であって、動作するのに必要な演算処理を行う処理回路が形成された回路基板(９３)と、この回路基板(９３)と一端が電気的に接続された電線と、この電線の他端が電気的に接続された接続コネクタ(ＣＮ)が取り付けられた中継基板(１３)とを備え、前記回路基板(９３)には、当該回路基板(９３)から突出する突出寸法が異なる複数種類の電子部品を備えているとともに、突出寸法が大きい電子部品である高寸法電子部品がまとめて配置された高寸法部品配置領域(ＨＲ)と、突出寸法が小さい電子部品である低寸法電子部品がまとめて配置された低寸法部品配置領域(ＬＲ)とが設けられ、前記中継基板(１３)は、前記回路基板(９３)の前記低寸法部品配置領域(ＬＲ)と重なる位置に配置されていることを特徴とする。
【０００７】
（請求項２）
（特徴点）
請求項２記載の発明は、前述した請求項１に記載の発明において、次の特徴点を備えているものである。
すなわち、請求項２記載の発明は、高寸法部品配置領域(ＨＲ)が、前記回路基板(９３)の周縁部分に形成され、低寸法部品配置領域(ＬＲ)が、前記回路基板(９３)の内側部分に形成されていることを特徴とする。
（請求項３）
（特徴点）
請求項３記載の発明は、前述した請求項２記載の発明において、次の特徴点を備えているものである。
【０００８】
すなわち、請求項３記載の発明は、前記回路基板(９３)を内部に収納するケース(１２)が設けられ、このケース(１２)には、前記回路基板(９３)の上方を覆う天井部(１０７Ｂ)が設けられ、この天井部(１０７Ｂ)には、前記低寸法部品配置領域(ＬＲ)に対応する部分を、前記高寸法部品配置領域(ＨＲ)に対応する部分よりも内側に向かって凹ますことにより形成された凹部(１０８)が設けられ、この凹部(１０８)の内部に前記中継基板(１３)が収納されていることを特徴とするものである。
【発明の効果】
【０００９】
（請求項１の効果）
以上のように構成されている本発明は、以下に記載されるような効果を奏する。
すなわち、請求項１記載の発明によれば、低寸法電子部品がまとめて配置された低寸法部品配置領域を回路基板に設け、この低寸法部品配置領域と重なるように中継基板を配置したので、中継基板を設けても、その奥行き寸法が嵩張ることがなくなる。
これにより、回路基板を設置するための部位に中継基板も回路基板とともに設置できるようになるので、中継基板を設置するために専用の部位を別途確保する必要がなくなり、遊技機の背面に各部品や機器をコンパクトに配置できるようになる。
【００１０】
（請求項２の効果）
請求項２記載の発明によれば、上記した請求項１記載の発明の効果に加え、次のような効果を奏する。
すなわち、請求項２記載の発明によれば、回路基板から突出する突出寸法が大きいコンデンサ等の高寸法電子部品は、一般的に、回路基板の表面を占有する専有面積が小さいので、回路基板の周縁部分に沿って帯状に配置すれば、その内側に高寸法電子部品が設置されていない部位を広く残すことができる。これにより、ＬＳＩ等の占有面積が大きい低寸法電子部品を複数設置するのに必要な面積を容易に確保できるうえ、中継基板を重ねて配置するために必要な広さの低寸法部品配置領域も容易に確保できる。
【００１１】
（請求項３の効果）
請求項３記載の発明によれば、上記した請求項２記載の発明の効果に加え、次のような効果を奏する。
すなわち、請求項３記載の発明によれば、回路基板をケースの内部に収納するようにしたので、回路基板を損傷や不正行為等から保護することができる。しかも、ケースの内部に収納することで回路基板を保護するようにしても、ケースの天井部に設けた凹部の内部に中継基板を収納するようにしたので、遊技機の奥行き寸法が増大することがなく、奥行き寸法が嵩張ることを防止することができる。
【発明を実施するための最良の形態】
【００１２】
以下に、本発明を実施するための最良の形態である一実施形態について、図面に基づいて説明する。
図１〜図１４は、本実施形態を示すものである。図１は、本実施形態に係る遊技機を示す正面図、図２は、本実施形態に係る遊技機を示す背面図、図３は、本実施形態に係る表示装置を正面側から示す斜視図、図４は、本実施形態に係る表示装置を背面側から示す斜視図、図５は、本実施形態に係る表示装置を背面側から示す分解斜視図、図６は、本実施形態に係るサブ制御基板及び中継基板を背面側から示す分解斜視図、図７は、本実施形態に係る表示装置を示す背面図、図８は、図７のＡ−Ａ線における断面図、図９は、本実施形態に係る液晶ユニットを背面側から示す分解斜視図、図１０は、本実施形態に係る画像処理基板及び空冷ユニットを背面側から示す分解斜視図、図１１は、本実施形態に係る液晶ユニットを示す一部分解状態の背面図、図１２は、本実施形態に係る液晶ユニットの要部を背面側から示す斜視図、図１３は、図７のＪ−Ｊ線における断面図、図１４は、図７のＭ−Ｍ線における断面図である。
【００１３】
（パチンコ機ＰＭの概略構成）
本実施形態に係る遊技機としてのパチンコ機ＰＭは、図１の如く、外郭方形枠サイズに構成されて縦向きの固定保持枠を成す外枠１と、この外枠１の開口前面に、これに合わせた方形枠サイズに構成されるとともに、外枠１に開閉可能に搭載される前枠２とを備えている。このうち、前枠２は、外枠１の正面左側上下に配設されたヒンジ部材３ａ，３ｂを介して外枠１に横開き開閉および着脱可能に取り付けられている。そして、正面右側に設けられた施錠金具４により、前枠２が外枠１の開口を閉鎖した状態が維持され、この状態で遊技に供される。
【００１４】
前枠２の正面側には、当該前枠２の正面形状に応じて形成された方形状のガラス扉５および球皿６がともに横開き開閉及び着脱が可能に組付けられている。
これらのガラス扉５および球皿６は、施錠金具４および図示しないロック機構を利用して前枠２の前面を覆う閉鎖状態で保持されるようになっている。
このうち、球皿６には、払い出された遊技球を貯留して整列させる球皿部６ａと、球皿部６ａに貯留する遊技球を下方に排出させる球抜きボタン６ｂと、遊技球の発射操作を行う操作ハンドル８とが設けられている。
また、図１において、ガラス扉５の背後に位置する前枠２の上部には、所定のゲージ設定で構成された遊技盤２０を収納する図示しない収容枠が形成されている。収容枠に嵌め込まれた遊技盤２０は、図示しない複数の係合レバーにより着脱交換可能にセット保持されている。
【００１５】
このように遊技盤２０がセット保持された状態においては、遊技盤２０の前面と、閉鎖状態にあるガラス扉５のガラス板とが所定間隔をおいて対向するように構成されており、これにより、遊技盤２０の前面と、ガラス扉５のガラス板内面との間に、遊技球が落下移動する遊技領域空間が形成されるようになっている。
収容枠２ａの裏側には、図２の如く、球貯留供給機構４０や球払出機構５０等を有する裏セット盤ＢＳＰが複数の係合レバー１８により着脱可能に装備され、常には、遊技盤２０の裏面を覆うように閉鎖保持されるようになっている。
裏セット盤ＢＳＰは、遊技盤２０の背後に位置し、全体として収容枠２ａの背面外郭サイズよりも幾分大きめの縦長方形形状を成したものとなっている。
【００１６】
裏セット盤ＢＳＰの各部には、当該パチンコ機ＰＭの作動を統括的に制御する主制御装置９１と、遊技者への遊技球の払出を制御する球払出制御装置９２と、効果照明装置及び効果音響装置の作動制御を行うサブ制御基板９３と、各装置、基板及び電子部品に所定の電力を供給する電源装置９４と、遊技機の作動状態を遊技施設側に出力するための外部端子板９６と、後述する特別図柄表示装置２８の作動制御を行う画像処理基板１０１と、遊技者に遊技球の払い出しを行う球払出装置５３とが図２に示すように配置されている。
このうち、サブ制御基板９３には、特別図柄表示装置２８に表示させる画像に関するデータが記憶された図示しないＲＯＭが設けられている。
【００１７】
このようなパチンコ機ＰＭは、全体が所要の後傾角度（例えば、１度以内の後傾角）で遊技施設の遊技島に縦向きに保持される。
図１に戻って、パチンコ機ＰＭは、球皿６およびガラス扉５が閉鎖施錠された状態で遊技に供され、球皿部６ａに遊技球を貯留させてから、操作ハンドル８を回動操作すると、遊技が開始されるようになっている。
すなわち、球皿部６ａに貯留する遊技球が図示省略する球送り装置によって１球ずつ発射レール上の発射位置まで送り出され、遊技球が発射位置についた状態で、操作ハンドル８の操作レバーが回動操作されると、遊技球は、図示しない打球発射装置のハンマーに打ち出されて遊技盤２０の外レール２２ａに案内されて、遊技領域ＰＡに導かれ、これにより、パチンコゲームが展開されるようになっている。
【００１８】
このような概要構成を備えたパチンコ機ＰＭについて、以降では各部の構成をもう少し詳しく説明する。
遊技盤２０は、所定板厚の積層合板の表面にセルが貼り付けられた化粧板２１の前面に、ステンレス鋼板等を利用した帯状の外レール２２ａおよび内レール２２ｂ（これらを合わせて案内レール２２と称する）が設けられたものである。遊技盤２０の案内レール２２に囲まれた内側の領域が遊技領域ＰＡとなっている。この遊技領域ＰＡには、多数本の遊技釘（図示略）、複数の風車２３、一般入賞口２４、始動入賞口２５、大入賞口２６、及び、周囲に飾り部を有した特別図柄表示装置２８が設けられている。
【００１９】
一般入賞口２４は、ここに遊技球が入ると、当該遊技球をセーフ球とする処理のみが実行される、換言すると、所定数の遊技球の払い出しのみが実行されるように設定されている入賞口である。一般入賞口２４の奥には、ここに入った遊技球を検出する図示しない入賞球検出センサ（具体的には、遊技球の通過を磁気的、光学的または電気的手段等により検出するセンサ）が取り付けられている。この一般入賞口２４には、化粧板２１を貫通する図示しないセーフ球通路孔が接続されており、一般入賞口２４に入った遊技球は、セーフ球通路孔を通って遊技盤２０の裏面側に排出されるようになっている。
始動入賞口２５は、ここに遊技球が入ることにより、当該遊技球をセーフ球とする処理が実行されるだけでなく、図柄変動の契機となるように設定されている入賞口である。この始動入賞口２５には、普通電動役物として、左右のチューリップ羽根を開閉させることができる、いわゆる電動チューリップが設けられている。
【００２０】
始動入賞口２５の奥には、一般入賞口２４と同様に、入賞した遊技球を検出する図示しない入賞球検出センサが取り付けられている。また、始動入賞口２５には、一般入賞口２４と同様に、化粧板２１を貫通するセーフ球通路孔（図示略）が接続されており、始動入賞口２５に入賞した遊技球は、セーフ球通路孔を通って遊技盤２０の裏面側に排出されるようになっている。
大入賞口２６は、左右に長い方形状の開口であり、当該大入賞口２６を開閉するための扉としての球受け部材を備えている。大入賞口２６の球受け部材は、通常、閉鎖されており、遊技中において、所定の遊技条件の下で特別遊技状態が成立した、すなわち、特別図柄表示装置２８に特定態様の図柄が表示されたときに、前方にほぼ９０度倒されて大入賞口が開放されるように設定されている。これにより、大入賞口２６は、前方を通過する遊技球をすべて、その内部に取り込むようになっている。
【００２１】
大入賞口２６の奥には、特定領域及び一般領域の二つの領域が左右に設けられている。特定領域及び一般領域の各々には、入賞球検出センサが取り付けられているとともに、一般入賞口２４等と同様に、化粧板２１を貫通する図示しないセーフ球通路孔が接続されている。大入賞口２６から入ったセーフ球は、特定領域及び一般領域のいずれか一方を通って遊技盤２０の裏面側に排出されるようになっている。
各入賞口２４，２５，２６に遊技球が入ると、各入賞口に取り付けられた入賞球検出センサによって入賞したことが検出されるようになっている。そして、各入賞口に入った一つ一つの遊技球毎に、その入賞口の種類や遊技状況に応じた所定数の賞球が後述する球払出機構５０から球皿６に払い出されるようになっている。
【００２２】
また、特別図柄表示装置２８は、具体的には、液晶パネル１０を有する液晶表示装置であり、図１及び図２に示すように、遊技を行う遊技者に面して設けられた液晶パネル１０の画面１００に様々な画像の表示が可能となっている。特別図柄表示装置２８の液晶パネル１０は、遊技盤２０の裏面側に取り付けられた画像処理基板１０１により制御され、その画面１００には、遊技状況に応じて種々の情報が表示されるようになっている。
遊技領域ＰＡの最下部には、入賞口２４，２５，２６に入賞せずに落下した遊技球を集めて排出させるアウト口２７が設けられている。アウト口２７には、化粧板２１を貫通する図示しないアウト球通路孔が接続されている。
【００２３】
このアウト口２７に集められた遊技球は、アウト球としてアウト球通路孔を通って遊技盤２０の裏面に排出されるようになっている。
（特別図柄表示装置２８）
次に、特別図柄表示装置２８について、さらに詳しく説明する。
特別図柄表示装置２８は、図３〜図８に示すように、略直方体状の外観を有する装置となっており、サブ制御基板９３からのコマンドデータを画像処理基板１０１で処理し、その処理結果である画像データに基づいて液晶パネル１０を駆動し、その正面に配置された液晶パネル１０の画面１００に画像データに基づく画像を表示する画像表示用のデバイスである。
【００２４】
ここで、特別図柄表示装置２８は、液晶パネル１０や画像処理基板１０１等の画像表示用のデバイスだけでなく、前述した効果照明装置及び効果音響装置の作動制御を行うサブ制御基板９３をも備えている。サブ制御基板９３は、画面１００に表示すべき画像のデータ、及び、画面１００に表示される画像に対応した音声のデータを出力するとともに、パチンコ機ＰＭの各部に設けたランプ等の照明を点滅する等の点灯制御で照明による演出を行うものとなっている。
画像処理基板１０１及びサブ制御基板９３は、図４の如く、特別図柄表示装置２８の背面、換言すると、液晶パネル１０の背面に、互いに並列となるように配置されている。そして、特別図柄表示装置２８、画像処理基板１０１及びサブ制御基板９３は、液晶パネル１０の背面を覆うケースである保護ケース１０４の内部に収納されている。このように保護ケース１０４の内部に収納されることにより、サブ制御基板９３は、特別図柄表示装置２８及び画像処理基板１０１に一体化されている。
【００２５】
保護ケース１０４は、図５の如く、外側に配置されるアウターケース１０５と、内側に配置されるインナーケースである液晶リアケース１１１Ａとを有する二重構造のものとなっている。
この際、前述した液晶パネル１０及び画像処理基板１０１は、その背面側が鉄板製の液晶リアケース１１１Ａに覆われている。そして、これらの液晶パネル１０、画像処理基板１０１及び液晶リアケース１１１Ａを含んで液晶ユニット１１０が構成され、この液晶ユニット１１０は、その背面が合成樹脂製のアウターケース１０５に覆われている。
液晶リアケース１１１Ａは、図５の如く、その背面１０６が段付状とされ、背面１０６の図５中右側に設けられるとともに、アウターケース１０５の背面を形成する背板部１０７に向かって迫り出した上段突出部１０６Ａと、背面１０６の図５中左側に設けられるとともに、アウターケース１０５の背板部１０７から退いた下段後退部１０６Ｂとを有するものとなっている。
【００２６】
液晶リアケース１１１Ａの背面側には、図５に示すように、その背面１０６の図５中左側に設けられた下段後退部１０６Ｂの外側面と、アウターケース１０５の背板部１０７との間に形成されるとともに、サブ制御基板９３が配置可能な隙間である装着スペース１１が設けられている。
より詳しく説明すると、アウターケース１０５は、液晶リアケース１１１Ａの背面１０６全体を覆うことができる大きさに形成されるとともに、図５中左側に方形容器状の容器部１２０Ｂが設けられたミドルケース１２０と、容器部１２０Ｂの蓋となるリアケース１２とを備えたものである。
【００２７】
このうち、ミドルケース１２０には、図５及び図８に示すように、図５中左側、図８中右側に配置された空間を前後に仕切る底面１１Ａが形成され、この底面１１Ａの背面側の隙間が、前述したサブ制御基板９３を収納するサブ制御室としての装着スペース１１となっている。この装着スペース１１には、サブ制御基板９３が収納状態で装着されるようになっている。
サブ制御基板９３は、図８の如く、装着スペース１１の内部に収納され、この状態で底面１１Ａにビス止めされている。そして、装着スペース１１は、サブ制御基板９３の背面側を覆おうように配置されるとともに、ミドルケース１２０にビス止めされているリアケース１２で蓋がされるようになっている。このリアケース１２は、透明な合成樹脂を成形したものであり、その内部が外から見えるようになっている。
【００２８】
装着スペース１１をリアケース１２で塞ぐと、ミドルケース１２０側に設けられている背板部１０７Ａの上面と、リアケース１２側に設けられている背板部１０７Ｂの最上面とが同一面を形成するようになっている。
ここで、サブ制御基板９３は、パチンコ機ＰＭが動作するのに必要な演算処理を行う処理回路が形成された回路基板である。このサブ制御基板９３が設置されている装着スペース１１の図８中上方には、接続コネクタＣＮが取り付けられた中継基板１３が配置されている。この中継基板１３は、サブ制御基板９３よりも面積が小さい基板であり、サブ制御基板９３と図示しない電線により電気的に接続されている。なお、この電線は、一端がサブ制御基板９３と電気的に接続され、前述の接続コネクタＣＮと嵌合する図示しない接続コネクタが他端に接続されたものとなっている。
【００２９】
サブ制御基板９３には、図６の如く、接続コネクタＣＮ、操作スイッチＳＷ及びコンデンサＣＣ、並びに、大規模集積回路ＬＳＩ及び集積回路ＩＣ等のチップ部品等、当該サブ制御基板９３から突出する突出寸法が異なる複数種類の電子部品が設けられている。
そして、サブ制御基板９３には、突出寸法が大きい電子部品であるコンデンサＣＣ等の高寸法電子部品がまとめて配置された高寸法部品配置領域ＨＲと、突出寸法が小さい電子部品である集積回路チップＣＨ等の低寸法電子部品がまとめて配置された低寸法部品配置領域ＬＲとが設けられている。
このうち、高寸法部品配置領域ＨＲは、サブ制御基板９３の周縁部分に形成され、低寸法部品配置領域ＬＲは、サブ制御基板９３の内側部分に形成されている。
【００３０】
このようなサブ制御基板９３を内部に収納するリアケース１２は、サブ制御基板９３の上方を覆う天井部として、前述の背板部１０７Ｂを備えたものとなっている。
この背板部１０７Ｂには、低寸法部品配置領域ＬＲに対応する部分を、高寸法部品配置領域ＨＲに対応する部分よりも内側に向かって凹ますことにより形成された凹部１０８が設けられている。この凹部１０８は、その内部に中継基板１３が収納されるものとなっている。そして、中継基板１３は、凹部１０８の内部に中継基板１３が収納された状態で、リアケース１２にビス止めされ、リアケース１２と一体化されている。
ここで、リアケース１２が透明なので、中継基板１３を凹部１０８から取り外せば、リアケース１２の内部に収納されている電子部品を容易に確認することができるようになっている。
【００３１】
また、凹部１０８は、深さ寸法が充分確保されており、これにより、中継基板１３が全体的に凹部１０８の内部に埋没し、リアケース１２の背板部１０７Ｂから突出しないようになっている。
さらに、中継基板１３をサブ制御基板９３に重なるように設けても、特別図柄表示装置２８全体の奥行き寸法が嵩張らないようになっている。
（液晶ユニット１１０）
液晶ユニット１１０は、図５及び図９に示すように、背面側に配置された液晶リアケース１１１Ａと、正面側に配置された鉄板製の液晶フロントケース１１１Ｂとに分割された液晶ユニットケース１１１の内部に、液晶パネル１０及び画像処理基板１０１等の構成部品を収納したものである。
【００３２】
ここで、液晶フロントケース１１１Ｂは、四角枠状の部材であり、液晶フロントケース１１１Ｂと、液晶パネル１０の画面１００との間に、図示しない保護シートが配置されている。この保護シートは、画面１００に密着するとともに画面１００全体を覆う透明な合成樹脂製の平板である。この保護シートと画面１００との間には埃や汚れが進入できないので、画面１００の手入れは、保護シート表面の清掃だけで済むようになっている。
液晶ユニットケース１１１の上段突出部１０６Ａは、液晶ユニットケース１１１の背面の図８中左側の部分に設けられるとともに、図８中上方へ膨出した部位となっている。この上段突出部１０６Ａの内部は、図８の如く、画像処理基板１０１を収納する画像処理室としての収納スペース１４となっている。これにより、画像処理基板１０１を収納する収納スペース１４と、サブ制御基板９３を装着するための装着スペース１１とが左右に並設されるようになっている。なお、ミドルケース１２０は、液晶ユニットケース１１１に形成された収納スペース１４に対応して、その背面が膨出しており、ミドルケース１２０の内部に液晶リアケース１１１Ａがピッタリと収納可能となっている。
【００３３】
液晶ユニット１１０には、前述した液晶パネル１０及び画像処理基板１０１の他に、図９の如く、液晶パネル１０との接続を行う図示しないハーネスが接続される液晶ハーネス中継端子板１０２と、液晶パネル１０のバックライト用の電源装置であるインバータ基板１０３と、画像処理基板１０１を冷却するための空冷ユニット１３０と、画像処理基板１０１を所定位置に固定するためのケース基板である液晶ベース１１２とが設けられている。これらの部品は、液晶ユニット１１０を構成するものであり、液晶ユニットケース１１１の内部にすべて収納されている。
液晶ベース１１２は、液晶パネル１０の正面形状に応じたサイズの略平板状の部材となっている。この液晶ベース１１２の収納スペース１４に対応する部分には、図８、図１０及び図１１の如く、収納スペース１４内に配置されている画像処理基板１０１、液晶ハーネス中継端子板１０２及び空冷ユニット１３０が固定されている。
【００３４】
ここで、液晶ベース１１２には、当該液晶ベース１１２との間に空間をあけて画像処理基板１０１を支持する複数のボス１１２Ａが立設されている。画像処理基板１０１は、その四隅及び長辺の中間部分に形成されたネジ孔１０９に挿通されたネジでボス１１２Ａの頂部に固定されるようになっている。
また、液晶ベース１１２の装着スペース１１に対応する部分、換言すると、図１１において、液晶ベース１１２における画像処理基板１０１の左側の部分には、インバータ基板１０３が固定されている。
画像処理基板１０１は、図８及び図１１に示すように、略正方形状の略平板に形成された二つのＬＳＩ１０１Ａ，１０１Ｂと、これらのＬＳＩ１０１Ａ，１０１Ｂを含んで形成された電子回路とを備え、この電子回路で、画面１００に表示させるべき画像の電気的な処理を行うものとなっている。ＬＳＩ１０１Ａ，１０１Ｂは、動作時に冷却が必要な発熱素子である。そして、画像処理基板１０１は、動作時に発熱して冷却が必要となる電子部品であるＬＳＩ１０１Ａ，１０１Ｂで高速演算を行う高速演算回路が形成された回路基板となっている。
【００３５】
空冷ユニット１３０は、図８及び図１１の如く、ＬＳＩ１０１Ａ，１０１Ｂの熱を発散させるための放熱板１３１と、この放熱板１３１を支持するブラケット１３２と、収納スペース１４の内部に設けられるとともに、放熱板１３１、ひいては、画像処理基板１０１を冷却するための冷却空気を送風する冷却ファン１３３とを備えたものである。
換言すれば、ブラケット１３２には、図１０に示すように、冷却ファン１３３及び放熱板１３１の取り付けのために、冷却ファン被取付部であるファン固定部１３２Ｄと、放熱板被取付部１３１Ｄとが設けられている。そして、ブラケット１３２に放熱板１３１及び冷却ファン１３３が取り付けられ、これらのブラケット１３２、放熱板１３１及び冷却ファン１３３が一体化されて空冷ユニット１３０を形成している。
【００３６】
このうち、放熱板１３１は、図１２及び図１３に示すように、熱伝導性に優れたアルミニウム材を押出成形することにより、互いに平行に延びる複数の冷却フィン１３１Ｂが設けられたものである。換言すると、放熱板１３１は、長方形状の略平板に形成された平板部１３１Ａの一面から突出する多数の冷却フィン１３１Ｂを、当該平板部１３１Ａに一体成形したものである。多数の冷却フィン１３１Ｂは、平板部１３１Ａの長手方向に配列されるとともに、各々が平板部１３１Ａの長手方向と直角に交差する方向に延びるものとなっている。
放熱板１３１は、図１３の如く、多数の冷却フィン１３１Ｂが形成する列の両端近傍部分、及び、当該列の中間部分縁部分が平面とされ、この平面となった部分がブラケット１３２と面接触する面接触部１３１Ｃとなっている。
【００３７】
ブラケット１３２は、液晶ベース１１２側からＬＳＩ１０１Ａ，１０１Ｂに放熱板１３１を接触させるために、液晶ベース１１２との間に空間をおいて放熱板１３１を支持するものとなっている。また、このブラケット１３２は、図８、図１０及び図１２の如く、熱伝導性に優れた材料であるアルミニウム板を折り曲げることにより、断面形状が全体的にＵ字形、換言すると、溝型に成形された部材である。
なお、ブラケット１３２には、図１０の如く、画像処理基板１０１側に延びる接地用突起１４０が設けられている。画像処理基板１０１をボス１１２Ａに固定すると、ブラケット１３２の接地用突起１４０が画像処理基板１０１の図示しない接地端子と電気的に接続されるようになっている。これにより、画像処理基板１０１の当該接地端子が、空冷ユニット１３０に設けられているアルミニウム製のブラケット１３２のを介して液晶リアケース１１１Ａと電気的に導通し、これにより、画像処理基板１０１のアースがサブ制御基板９３のアース等と一緒に共通にとれるようになっている。
【００３８】
そして、ブラケット１３２は、図８、図１０、図１２及び図１３の如く、Ｕ字形の側壁部として、対向配置された二つの側壁１３２Ａを有している。これらの側壁１３２Ａの各々には、冷却空気をＵ字の内部に流通させるための送風口である通風孔１３２Ｂが設けられている。
また、各側壁１３２Ａには、液晶ベース１１２と接する部分が液晶ベース１１２の表面と平行となるように折り曲げられることにより、液晶ベース１１２に取り付けるための取付部１３２Ｃが形成されている。
断面Ｕ字形の二つの側壁１３２Ａのうち、冷却ファン１３３側に配置されている側壁１３２Ａに設けられた取付部１３２Ｃの先端部分は、図８、図１０及び図１２の如く、側壁１３２Ａと対向するように、側壁１３２Ａと同じ方向へ折り曲げられ、これにより、冷却ファン１３３が固定されるファン固定部１３２Ｄが形成されている。冷却ファン１３３は、その吸込口１３３Ａが側壁１３２Ａに向けられた状態で、ファン固定部１３２Ｄに固定されている。なお、ファン固定部１３２Ｄには、冷却ファン１３３の吸込口１３３Ａに対応して切り欠かれた切欠部１３２Ｅが設けられている。
【００３９】
Ｕ字形に成形されたブラケット１３２の底部１３２Ｆには、放熱板１３１の冷却フィン１３１Ｂを、そのＵ字形の内部に挿通させるためのフィン挿通口としての挿通孔１３２Ｇが設けられている。
放熱板１３１は、ブラケット１３２の底部１３２Ｆの外側の面から挿通孔１３２Ｇに冷却フィン１３１Ｂが挿通されるとともに、ブラケット１３２の底部１３２Ｆに形成されている放熱板被取付部１３１Ｄに面接触部１３１Ｃが接触し、この状態で、ブラケット１３２に固定されている。
また、放熱板１３１は、図８及び図１３の如く、シリコンゴムやシリコングリス等の熱伝導性及び密着性に優れた熱伝導体１０１Ｃを介して、画像処理基板１０１のＬＳＩ１０１Ａ，１０１Ｂに接触した状態でブラケット１３２により固定されている。
【００４０】
この際、ブラケット１３２の対向配置された一対の側壁１３２Ａに開けられた通風孔１３２Ｂの間に冷却フィン１３１Ｂを配置するとともに、側壁１３２Ａの長手方向と冷却フィン１３１Ｂの長手方向とを直交させることにより、一対の側壁１３２Ａに開けられた通風孔１３２Ｂが、冷却フィン１３１Ｂの間の空間によって、相互に連通されるようにし、かつ、一方の側壁１３２Ａに対して冷却ファン１３３を近接配置するとともに、この冷却ファン１３３の吸込口を当該側壁１３２Ａの通風孔１３２Ｂに面して設けてある。これにより、空冷ユニット１３０は、冷却ファン１３３により送風される冷却空気が効率よく冷却フィン１３１Ｂの間を流通するように構成されたものとなっている。
【００４１】
また、図４、図５及び図８に示すように、ミドルケース１２０の左右に設けられている側壁１２１，１２２のうち、液晶ユニットケース１１１の収納スペース１４に対応して膨出している部分の側面となる側壁１２１には、細長いスリット状の長孔が多数形成され、これらの長孔が冷却空気を内部に取り入れるための吸気口１２３となっている。
そして、図５及び図８に示すように、吸気口１２３が設けられた側壁１２１と重なり合う液晶ユニットケース１１１の側壁１１３には、側壁１２１の各吸気口１２３に対応するとともに、側壁１２１の吸気口１２３と連通する複数の長孔が、冷却空気を内部に取り入れるための吸気口１１４として設けられている。
【００４２】
そして、これらの吸気口１１４，１２３は、両方とも遊技球が内部に進入不可能なサイズの長孔から形成されている。
ここにおいて、冷却ファン１３３は、図８の如く、ケース１１１，１２０の左右方向の中心位置よりも若干左側にずれた位置に取り付けられている。また、冷却ファン１３３は、収納スペース１４の内部に配置されるとともに、放熱板１３１と液晶ベース１１２との間に形成された空間に冷却空気を送り込める位置であって、図１０の如く、画像処理基板１０１の周縁部分にあたる位置に設置されている。
また、冷却ファン１３３の吸込口１３３Ａは、ケース１１１，１２０の吸気口１１４，１２３が設けられた側壁１１３，１２１に対向するように配置されている。
【００４３】
さらに、図８及び図１４の如く、ミドルケース１２０の膨出している部分の周りを囲む側壁のうち、ミドルケース１２０の左右方向の中間部分に設けられている側壁１２４には、冷却ファン１３３の吹出口１３３Ｂに対応した開口１２５が設けられている。
液晶ユニットケース１１１についても同様に、液晶ユニットケース１１１の膨出している部分の周りを囲む側壁のうち、液晶ユニットケース１１１の左右方向の中間部分に設けられている側壁１１５には、冷却ファン１３３の吹出口１３３Ｂに対応した複数の開口１１６が設けられている。
図８の如く、リアケース１２には、開口１１６，１２５と対向する側壁１２Ａが設けられている。この側壁１２Ａは、液晶ユニットケース１１１の側壁１１５と近接する位置において、側壁１１５に沿って延びるものとなっている。
【００４４】
この側壁１２Ａには、図５に示すように、開口１１６，１２５と対向する部分に凹みが設けられている。この凹みにより、図４、図７、図８及び図１４に示すように、リアケース１２及びミドルケース１２０の各背面をその一部として含んで構成されるケース全体の背面１２０Ａに、冷却ファン１３３の吹出口１３３Ｂから排出される冷却空気を排出するための排気口１２６が形成されている。
この排気口１２６は、画像処理基板１０１を冷却したために暖められた冷却空気を外部に排気するためのものである。また、排気口１２６は、吹出口１３３Ｂに対向して設けられるとともに、遊技球が内部に進入不可能なサイズの孔から形成されたもの、換言すると、遊技球が内部に進入不可能な開口となっている。
【００４５】
この際、図８において、保護ケース１０４の左右方向に中間部分に配置された側壁１１５及び側壁１２Ａは、収納スペース１４と装着スペース１１とを図８中左右に仕切る仕切壁となっている。
また、リアケース１２の側壁１２Ａのうち、冷却ファン１３３の吹出口１３３Ｂと対向する部分は、冷却ファン１３３の吹出口１３３Ｂの近傍に配置されるとともに、排気口１２６に向かって冷却空気を導く導風板１４１となっている。
そして、ミドルケース１２０には、図５及び図８に示すように、リアケース１２の側壁１２Ａの凹んだ部分に対応し、且つ、この凹んだ部分と連続するように、Ｕ字形に折れ曲がった立ち上がり壁部１２７が設けられている。立ち上がり壁部１２７のうち、冷却ファン１３３の吹出口１３３Ｂと対向する部分は、リアケース１２側の導風板１４１と連結される当該導風板１４１とともに、排気口１２６に向かって冷却空気を導く導風板１４１Ａとなっている。
【００４６】
さらに、液晶ベース１１２には、図８及び図９に示すように、排気口１２６に対向する部分が傾斜した状態で迫り上がった傾斜底部１１７が設けられている。この傾斜底部１１７の周囲には、リアケース１２の側壁１２Ａの凹んだ部分に対応するとともに、この凹んだ部分と連続する立ち上がり壁部１１８が設けられている。これらのうち、傾斜底部１１７は、ミドルケース１２０の導風板１４１Ａと連結され、且つ、導風板１４１，１４１Ａとともに、排気口１２６に向かって冷却空気を導く導風板１４１Ｂとなっている。
改めて説明すると、導風板１４１，１４１Ａ，１４１Ｂは、画像処理基板１０１を冷却したために暖められた冷却空気が装着スペース１１の内部に進入しないように、当該冷却空気を排気口１２６に向かって導くものとなっている。
【００４７】
ここにおいて、画像処理基板１０１を収納する収納スペース１４と、サブ制御基板９３を装着するための装着スペース１１とを、ミドルケース１２０の左右に並設し、収納スペース１４と装着スペース１１との境界部分に配置される側壁１２４に近接して冷却ファン１３３を設けるとともに、冷却ファン１３３の吹出口１３３Ｂに対応した開口１２５を側壁１２４に設け、さらに、リアケース１２に設けた側壁１２Ａの開口１２５と対向する部分を凹ませ、この凹みを冷却空気の排気路とし、リアケース１２が排気ダクトを兼用するようにしてある。
これにより、ケース全体の背面１２０Ａに冷却空気を排出するための排気口１２６を設けても、冷却空気を排気口１２６まで導く排気ダクトを別途設ける必要がなく、ケース全体の構造が簡略化されるようになっている。
【００４８】
前述のような本実施形態によれば、次のような効果が得られる。
すなわち、複数のボス１１２Ａを液晶ベース１１２に立設し、これらのボス１１２Ａで画像処理基板１０１を支持し、液晶ベース１１２と画像処理基板１０１との間に放熱板１３１を配置するようにしたので、ブラケット１３２を介して放熱板１３１が液晶ベース１１２に固定されるようになり、これにより、放熱板１３１を取り付けるための取付用部位を画像処理基板１０１に設ける必要がなくなり、画像処理基板１０１の実装率を向上することができる。
ここで、放熱板被取付部１３１Ｄ及びファン固定部１３２Ｄをブラケット１３２に設け、ブラケット１３２に放熱板１３１及び冷却ファン１３３を一体化した空冷ユニット１３０を形成し、液晶ベース１１２に空冷ユニット１３０を取り付けることにより、放熱板１３１、ブラケット１３２及び冷却ファン１３３のすべてをまとめて液晶ベース１１２に取り付けられるようにしたので、液晶ベース１１２に対して取付作業を行うべき部品の数が減り、画像処理基板１０１の実装率を向上しても、組立作業に要する時間を短縮することができる。
【００４９】
また、放熱板１３１と液晶ベース１１２との間に形成された空間に冷却空気を送り込める位置に冷却ファン１３３を配置し、冷却ファン１３３を稼働させることにより、放熱板１３１と液晶ベース１１２との間に形成された空間に冷却空気を確実に送り込めるようにしたので、ＬＳＩ１０１Ａ，１０１Ｂが発する熱を放熱板から空気中へ効率良く発散することができる。
そのうえ、画像処理基板１０１の周縁部分にあたる位置に冷却ファン１３３を配置したので、保護ケース１０４の内部を流通する冷却空気の排気口１２６に隣接して冷却ファン１３３を設けることができ、このように排気口１２６に隣接して冷却ファン１３３を設けることにより、冷却空気の流路長が短くなり、冷却空気の流路抵抗を低減できる。
【００５０】
そして、以上のように、熱を放熱板１３１から空気中へ効率良く発散できるようになるうえ、冷却空気の流路抵抗を低減できるようになるので、冷却ファン１３３及び放熱板１３１の冷却性能を充分に確保することができる。
さらに、断面Ｕ字形のブラケット１３２を採用し、このブラケット１３２のＵ字形の底部１３２Ｆに挿通孔１３２Ｇを設け、これにより、ブラケット１３２の底部１３２Ｆの外側から放熱板１３１の冷却フィン１３１Ｂを挿通孔１３２Ｇに挿通すると、放熱板１３１のブラケット１３２に対する位置が決まるようにしたので、ネジ止め等により、放熱板１３１をブラケット１３２に容易に固定することができる。また、これにより、空冷ユニット１３０の平面形が放熱板１３１よりも一回り大きくなるので、放熱板１３１が付いた状態のブラケット１３２を容易に液晶ベース１１２に取り付けることができる。
【００５１】
しかも、ブラケット１３２のＵ字形の側壁１３２Ａに冷却空気を流通させる通風孔１３２Ｂを設けたので、放熱板１３１の冷却フィン１３１Ｂをブラケット１３２のＵ字形の内部に配置しても何ら問題が生じない。
さらに、ブラケット１３２の断面形状をＵ字形にしたので、板材を折り曲げるとともに、その所定箇所に開口を形成するといった容易な加工でブラケット１３２を作製できるようになり、ブラケット１３２の製造に要する時間も短縮することができる。
また、特別図柄表示装置２８の背面側に、画像処理基板１０１とサブ制御基板９３とを並列に配置したので、特別図柄表示装置２８の奥行き寸法が嵩張ることがない。
【００５２】
しかも、パチンコ機ＰＭにおける特別図柄表示装置２８が占有していない残りの部分にサブ制御基板９３の設置が不可能となるほど、特別図柄表示装置２８の画面を大きくしても、画像処理基板１０１及びサブ制御基板９３の両方が特別図柄表示装置２８の背面側に配置可能となるので、画像処理基板１０１との並列配置により、サブ制御基板９３をパチンコ機ＰＭに設置することができる。
さらに、特別図柄表示装置２８の保護ケース１０４の内部にサブ制御基板９３及び画像処理基板１０１を設置し、これにより、サブ制御基板９３を画像処理基板１０１とともに特別図柄表示装置２８に一体化したので、サブ制御基板９３にアンプ及びスピーカを接続し、この状態で特別図柄表示装置２８を起動すれば、その画面１００に映し出された映像に応じた音声も出力されるようになる。このため、特別図柄表示装置２８をパチンコ機ＰＭに組み込む前に、特別図柄表示装置２８に映し出される画像の動作を、その音声とともに確認する検査を行うにあたり、アンプ及びスピーカの接続作業を行うだけで、その他面倒な作業が何ら必要なく、速やかに検査を開始することができ、特別図柄表示装置２８の単独検査の便宜を図ることができる。
【００５３】
また、側壁１２Ａ，１１５に仕切られた収納スペース１４及び装着スペース１１を保護ケース１０４に内部に設け、収納スペース１４及び装着スペース１１の内部に、画像処理基板１０１及びサブ制御基板９３をそれぞれ収納し、さらに、画像処理基板１０１を冷却した暖かい冷却空気が装着スペース１１に進入しないように、当該冷却空気を排気口１２６に向かって導く導風板１４１を側壁１２Ａの一部分として設けたので、発熱する画像処理基板１０１の隣りにサブ制御基板９３を並設しても、画像処理基板１０１の発熱の影響がサブ制御基板９３に及ぶことがなく、特別図柄表示装置２８を備えたパチンコ機ＰＭの動作を全般的に良好なものとすることができる。
【００５４】
さらに、特別図柄表示装置２８の背面側を覆う保護ケース１０４として、外側のミドルケース１２０と内側の液晶リアケース１１１Ａとを備えた二重構造のものを採用し、且つ、液晶リアケース１１１Ａを鉄板製としたので、液晶リアケース１１１Ａで電磁波を充分遮断することができ、電磁波から画像処理基板１０１及び液晶パネル１０を保護することができ、ひいては、強力な電波による不正行為、いわゆる電波ゴトから画像処理基板１０１、液晶パネル１０及びパチンコ機ＰＭ本体を守ることができる。
また、ミドルケース１２０を合成樹脂製としたので、その肉厚を充分厚くしても、重量が大幅に増加することがなく、且つ、肉厚を充分とることにより、ミドルケース１２０の機械的強度が確保され、機械的損傷から画像処理基板１０１及び液晶パネル１０を保護することができる。
【００５５】
さらに、液晶リアケース１１１Ａの内部に画像処理基板１０１及び液晶パネル１０を配置し、液晶リアケース１１１Ａの外側にサブ制御基板９３を配置することにより、比較的電磁波ノイズの影響を受けやすい画像処理基板１０１及び液晶パネル１０を、サブ制御基板から電磁気的に隔離するようにしたので、サブ制御基板９３、画像処理基板１０１及び液晶パネル１０を同じ保護ケース１０４の内部に配置しても、サブ制御基板９３で音声信号の発生に伴い電磁波が発生しても、この電磁波による乱れが液晶パネル１０の画面１００に発生することを未然に防止することができる。
また、液晶リアケース１１１Ａの背面１０６を段付状にして、ミドルケース１２０の内面に向かって迫り出した上段突出部１０６Ａと、ミドルケース１２０の内面から退いた下段後退部１０６Ｂとを設け、上段突出部１０６Ａの内部に画像処理基板１０１を設置し、ミドルケース１２０の背板部１０７Ｂと、液晶リアケース１１１Ａに設けた下段後退部１０６Ｂの外側面との間に形成された隙間にサブ制御基板９３を設置したので、画像処理基板１０１及び液晶パネル１０と、サブ制御基板９３とを液晶リアケース１１１Ａで電磁気的に隔離しても、特別図柄表示装置２８の背面において、画像処理基板１０１とサブ制御基板９３とを並列に配置することができ、特別図柄表示装置２８の背面にサブ制御基板９３を設置しても、特別図柄表示装置２８の奥行き寸法の増大を防止できる。
【００５６】
さらに、突出寸法が大きいコンデンサＣＣ等の高寸法電子部品をまとめて配置した高寸法部品配置領域ＨＲと、突出寸法が小さい集積回路チップＣＨ等の低寸法電子部品をまとめて配置した低寸法部品配置領域ＬＲとをサブ制御基板９３に設け、このうち、低寸法部品配置領域ＬＲと重なるように中継基板１３を配置したので、中継基板１３を設けても、特別図柄表示装置２８の奥行き寸法が嵩張ることがなくなる。
これにより、サブ制御基板９３に中継基板１３を重ねて配置することにより、サブ制御基板９３を設置するための部位に中継基板１３もサブ制御基板９３とともに設置できるようになるので、中継基板１３を設置するために専用の部位を別途確保する必要がなくなり、パチンコ機ＰＭの背面に各部品や機器をコンパクトに配置できるようになる。
【００５７】
また、突出寸法が大きく、サブ制御基板９３の表面を占有する専有面積が小さいコンデンサＣＣ等の高寸法電子部品を、サブ制御基板９３の周縁部分に沿って帯状に配置したので、その内側に高寸法電子部品が設置されていない部位を広く残すことができる。これにより、大規模集積回路ＬＳＩ等の占有面積が大きい低寸法電子部品を複数設置するのに必要な面積を容易に確保できるうえ、中継基板１３を重ねて配置するために必要な広さの低寸法部品配置領域ＬＲを容易に確保することができる。
さらに、サブ制御基板９３を収納するケースとして、サブ制御基板９３の上方を覆う背板部１０７を備えたリアケース１２を採用し、且つ、サブ制御基板９３の低寸法部品配置領域ＬＲに対応する背板部１０７の部分を、高寸法部品配置領域ＨＲに対応する背板部１０７の他の部分よりも内側に向かって凹ますことことにより、背板部１０７に凹部１０８を設け、この凹部１０８の内部に中継基板１３を収納するようにしたので、サブ制御基板９３をリアケース１２の内部に収納することで、サブ制御基板９３を損傷や不正行為等から保護するようにしても、特別図柄表示装置２８の奥行き寸法が増大せず、ひいてはパチンコ機ＰＭの奥行き寸法が増大を抑えることができ、パチンコ機ＰＭの奥行き寸法が嵩張ることを未然に防止することができる。
【００５８】
また、その表面から画像処理基板１０１側へ延びる接地用突起１４０をブラケット１３２に設け、画像処理基板１０１をボス１１２Ａに固定すると、ブラケット１３２の接地用突起１４０に画像処理基板１０１の図示しない接地端子が自動的に接続されるようにしたので、画像処理基板１０１を接地するにあたり、画像処理基板１０１にアース用の電線を接続する必要がなく、アース用電線を接続する手間が省け、特別図柄表示装置２８の配線作業に要する時間を短縮することができる。
なお、本発明は、前記実施形態に限定されるものではなく、本発明の目的を達成できる範囲における変形及び改良などをも含むものである。
【００５９】
例えば、前記実施形態では、特別図柄表示装置２８に表示させる画像に関するデータを記憶したＲＯＭをサブ制御基板９３に設けたが、当該ＲＯＭを設置する回路基板としては、サブ制御基板９３に限らず、画像処理基板１０１等の他の回路基板でもよい。
また、遊技機としては、パチンコ機に限らず、雀球等の他の弾球式遊技機でもよく、あるいは、外周面に図柄を表示する回転リールを有し、回転リールの図柄を特定の組合せに揃えるスロットマシン等の回動式遊技機でもよく、要するに、本発明は、遊技媒体の投入により遊技が行えるとともに、入賞すると所定数量の遊技媒体が遊技者に払い出される遊技機に適用することができる。
【図面の簡単な説明】
【００６０】
【図１】本発明の一実施形態に係る遊技機を示す正面図である。
【図２】前記実施形態に係る遊技機を示す背面図である。
【図３】前記実施形態に係る表示装置を正面側から示す斜視図である。
【図４】前記実施形態に係る表示装置を背面側から示す斜視図である。
【図５】前記実施形態に係る表示装置を背面側から示す分解斜視図である。
【図６】前記実施形態に係るサブ制御基板及び中継基板を示す分解斜視図である。
【図７】前記実施形態に係る表示装置を示す背面図である。
【図８】図７のＡ−Ａ線における断面図である。
【図９】前記実施形態に係る液晶ユニットを背面側から示す分解斜視図である。
【図１０】前記実施形態に係る画像処理基板及び空冷ユニットを示す分解斜視図である。
【図１１】前記実施形態に係る液晶ユニットを示す一部分解状態の背面図である。
【図１２】前記実施形態に係る液晶ユニットの要部を背面側から示す斜視図である。
【図１３】図７のＪ−Ｊ線における断面図である、
【図１４】図７のＭ−Ｍ線における断面図である。
【符号の説明】
【００６１】
１    外枠                          ２ａ  収容枠
２    前枠                          ３ａ  ヒンジ部材
４    施錠金具                      ５    ガラス扉
６ａ  球皿部                        ６ｂ  ボタン
６    球皿                          ８    操作ハンドル
１０    液晶パネル                  １１Ａ  底面
１１    装着スペース                １２Ａ  側壁
１２    リアケース                  １３    中継基板
１４    収納スペース                １８    係合レバー
２０    遊技盤                      ２１    化粧板
２２ａ  外レール                    ２２ｂ  内レール
２２    案内レール                  ２３    風車
２４    一般入賞口                  ２５    始動入賞口
２６    大入賞口                    ２７    アウト口
２８    特別図柄表示装置            ４０    球貯留供給機構
５０    球払出機構                  ５３    球払出装置
９１    主制御装置                  ９２    球払出制御装置
９３    サブ制御基板                ９４    電源装置
９６    外部端子板                １００    画面
１０１Ｃ  熱伝導体                  １０１    画像処理基板
１０１Ａ  ＬＳＩ(大規模集積回路)    １０１Ｂ  ＬＳＩ(大規模集積回路)
１０２    液晶ハーネス中継端子板    １０３    インバータ基板
１０４    保護ケース                １０５    アウターケース
１０６Ａ  上段突出部                １０６Ｂ  下段後退部
１０６    背面                      １０７Ａ  背板部
１０７Ｂ  背板部                    １０７    背板部
１０８    凹部                      １０９    ネジ孔
１１０    液晶ユニット              １１１Ａ  液晶リアケース
１１１Ｂ  液晶フロントケース        １１１    液晶ユニットケース
１１２Ａ  ボス                      １１２    液晶ベース
１１３    側壁                      １１４    吸気口
１１５    側壁                      １１６    開口
１１７    傾斜底部                  １１８    壁部
１２０Ａ  背面                      １２０Ｂ  容器部
１２０    ミドルケース              １２１    側壁
１２３    吸気口                    １２４    側壁
１２５    開口                      １２６    排気口
１２７    壁部                      １３０    空冷ユニット
１３１Ａ  平板部                    １３１Ｂ  冷却フィン
１３１Ｃ  面接触部                  １３１Ｄ  放熱板被取付部
１３１    放熱板                    １３２Ａ  側壁
１３２Ｂ  通風孔                    １３２Ｃ  取付部
１３２Ｄ  ファン固定部              １３２Ｅ  切欠部
１３２Ｆ  底部                      １３２Ｇ  挿通孔
１３２    ブラケット                １３３Ａ  吸込口
１３３Ｂ  吹出口                    １３３    冷却ファン
１４０    接地用突起                １４１Ａ  導風板
１４１Ｂ  導風板                    １４１    導風板
ＢＳＰ    裏セット盤                  ＣＣ    コンデンサ
ＣＨ    集積回路チップ              ＣＮ    接続コネクタ
ＨＲ    高寸法部品配置領域          ＩＣ    集積回路
ＬＲ    低寸法部品配置領域        ＬＳＩ    大規模集積回路
ＰＡ    遊技領域                    ＰＭ    パチンコ機
ＳＷ    操作スイッチ
【図１】
2006034778.tif 000003
【図２】
2006034778.tif 000004
【図３】
2006034778.tif 000005
【図４】
2006034778.tif 000006
【図５】
2006034778.tif 000007
【図６】
2006034778.tif 000008
【図７】
2006034778.tif 000009
【図８】
2006034778.tif 000010
【図９】
2006034778.tif 000011
【図１０】
2006034778.tif 000012
【図１１】
2006034778.tif 000013
【図１２】
2006034778.tif 000014
【図１３】
2006034778.tif 000015
【図１４】
2006034778.tif 000016